(57)【要約】【課題】基地局装置と複数の端末装置とが無線により通信する無線通信システムで、例えば、帯域保証の観点から好適な方式の選択やユーザ端末の選択（スケジューラ）を実現する。【解決手段】基地局装置と複数の端末装置との間で、ＭＲＣ方式の通信と、ＳＤＭＡ方式の通信を行う。ＭＲＣ方式で、各端末装置について所定のメトリック値を検出して、最良のメトリック値を持つ端末装置を選択する。ＳＤＭＡ方式で、前記最良のメトリック値を持つ端末装置を含む２以上の端末装置の組み合わせの中で、所定のメトリック値を検出して、最良のメトリック値を持つ端末装置の組み合わせを選択する。それぞれ検出した最良のメトリック値のうち、値がより良い方の方式を選択して送信を行うように制御する。【選択図】  図１
2010114475.tif 000002
【特許請求の範囲】
【請求項１】
基地局装置と複数の端末装置とが無線により通信する無線通信システムにおいて、
前記基地局装置と前記複数の端末装置との間の通信について、ＭＲＣ方式により通信を行う手段と、ＳＤＭＡ方式により通信を行う手段を備え、
ＭＲＣ方式による通信において、各端末装置についてＭＲＣ方式に関する所定のメトリック値を検出して、最良のメトリック値を持つ端末装置を選択する手段と、
ＳＤＭＡ方式による通信において、前記最良のメトリック値を持つ端末装置を含む２以上の端末装置の組み合わせの中で、ＳＤＭＡ方式に関する所定のメトリック値を検出して、最良のメトリック値を持つ端末装置の組み合わせを選択する手段と、
前記したＭＲＣ方式による通信と前記したＳＤＭＡ方式による通信についてそれぞれ検出した最良のメトリック値のうち、値がより良い方の方式を選択し、当該選択した方式がＭＲＣ方式である場合には最良のメトリック値を持つ端末装置により送信を行い、当該選択した方式がＳＤＭＡ方式である場合には最良のメトリック値を持つ端末装置の組み合わせにより送信を行うように制御する手段と、を備えた、
ことを特徴とする無線通信システム。
【発明の詳細な説明】
【技術分野】
【０００１】
本発明は、データ通信を行う無線通信システムに関し、特に、具体的には、例えば、多数入力多数出力（ＭＩＭＯ：Ｍｕｌｔｉ−Ｉｎｐｕｔ  Ｍｕｌｔｉ−Ｏｕｔｐｕｔ）通信における空間分割多重アクセス（ＳＤＭＡ：Ｓｐａｔｉａｌ  Ｄｉｖｉｓｉｏｎ  Ｍｕｌｔｉｐｌｅ  Ａｃｃｅｓｓ）のためのマルチアンテナ送信を行う無線通信システムに関する。
【背景技術】
【０００２】
ＭＩＭＯシステムでは、データ送信のために多数（複数であるＮＴ）本の送信アンテナと、多数（複数であるＮＲ）本の受信アンテナを採用する。
ＮＴ本の送信アンテナとＮＲ本の受信アンテナとによって形成されるＭＩＭＯチャネルは、ＮＳ本の空間チャネルへ分解され得る。ここで、ＮＳ＜ｍｉｎ｛ＮＴ，ＮＲ｝である。ＮＳ本の空間のチャネルを使用して、ＮＳ本の独立データストリームを送信し、より大きい総スループットを達成することが可能である。
【０００３】
多重アクセスのＭＩＭＯシステムでは、基地局装置は、ＳＤＭＡによって多数のユーザ端末（ユーザの端末装置）と同時に通信することもできる。ＳＤＭＡでは、基地局装置は、データの送信及び受信のための多数のアンテナを利用し、ユーザ端末の各々は、通常、データ送信のための１本のアンテナと、データ受信のための多数のアンテナを利用する。
【０００４】
多重アクセスのＭＩＭＯシステムでのＳＤＭＡにおける幾つかの重要な問題は、（１）同時送信のためのユーザ端末の適切な組を選択すること、及び（２）良好なシステム性能を達成するように、データを各選択されたユーザ端末との間で送受信すること、である。従って、多重アクセスのＭＩＭＯシステムにおいてＳＤＭＡを効率的に支援する技術が当分野において必要とされている。
【０００５】
ここで、特許文献１には、ＭＩＭＯ通信におけるＰＦ（Ｐｒｏｐｏｒｔｉｏｎａｌ  Ｆａｉｒｎｅｓｓ）方式を用いたスケジューリング方法が開示されている。
特許文献２には、ＳＤＭＡ方式や、ＳＤＭＡ方式における無線リソースの割り当て方法について開示されている。
特許文献３には、最大比合成（ＭＲＣ：Ｍａｘｉｍｕｍ  Ｒａｔｉｏ  Ｃｏｍｂｉｎｉｇ）方式について開示されている。
また、非特許文献１〜９は、これらの特許文献１〜３で引用されたものである。
【０００６】
【特許文献１】特開２００６−０６７５７２号公報
【特許文献２】特開２００７−３１８５７６号公報
【特許文献３】特開２００８−１０３７９５号公報
【非特許文献１】荒関ほか、「地上ディジタル放送波中継用逐次適応型ダイバーシチ受信の検討」、進学論（Ｂ）、２００４年７月、ｖｏｌ．Ｊ８７−Ｂ、Ｎｏ．７、ｐｐ．１０１８−１０２８
【非特許文献２】木村ほか、「シンボル毎伝送路推定による地上デジタル放送の高速移動受信特性」、映情学技報、２００５年６月、２９、３６、ｐｐ．１−４
【非特許文献３】三木信之、「地上デジタルテレビジョン放送」、トリケップス
【非特許文献４】岡田、高柳、山本、「アレーアンテナを用いた伝搬路時変動による地上波デジタル放送の高速移動受信特性改善効果」、映情学誌、２００２年、Ｖｏｌ．５６、Ｎｏ．２、ｐｐ．２３７−２４４
【非特許文献５】Ｐ．Ｖｉｓｗａａｎａｔｈ、Ｄａｖｉｄ  Ｎ．  Ｔｓｅ及びＲ．Ｌａｒｏｉａ“Ｏｐｐｏｒｔｕｎｉｓｔｉｃｂｅａｍｆｏｒｍｉｎｇ  ｕｓｉｎｇ  ｄｕｍｐ  ａｎｔｅｎｎａｓ”ＩＥＥＥ  Ｔｒａｎｓａｔｉｏｎ  Ｏｎ  Ｉｎｆｏｒｍａｔｉｏｎ  Ｔｈｅｏｒｙ、Ｖｏｌ．４８、Ｊｕｎ．２００２、ｐｐ．１２７７−１２９４
【非特許文献６】Ｇ．Ｊ．Ｆｏｓｃｈｉｎｉ、“Ｌａｙｅｒｅｄ  ｓｐａｃｅ−ｔｉｍｅ  ａｒｃｈｉｔｅｃｔｕｒｅ  ｆｏｒ  ｗｉｒｅｌｅｓｓ  ｃｏｍｍｕｎｉｃａｔｉｏｎ  ｉｎ  ａ  ｆａｄｉｎｇ  ｅｎｖｉｒｏｎｍｅｎｔ  ｗｈｅｎ  ｕｓｉｎｇ  ｍｕｌｔｉ−ｅｌｅｍｅｎｔ  ａｎｔｅｎｎａｓ”Ｂｅｌｌ  Ｌａｂｓ  Ｔｅｃｈｎｉｃａｌ  Ｊｏｕｒｎａｌ、Ｖｏｌ．１、Ｎｏ．２、１９９６、ｐｐ．  ４１−５９
【非特許文献７】Ａ．Ｆ．Ｍｏｌｉｓｃｈ、Ｍ．Ｚ．Ｗｉｎ及びＪ．Ｈ．Ｗｉｎｔｅｒｓ“Ｓｐａｃｅ−ｔｉｍｅ−ｆｒｅｑｕｅｎｃｙ（ＳＴＦ）  ｃｏｄｉｎｇ  ｆｏｒ  ＭＩＭＯ−ＯＦＤＭ  ｓｙｓｔｅｍ”ＩＥＥＥ  Ｃｏｍｍｕｎｉｃａｔｉｏｎ  Ｌｅｔｔｅｒｓ、Ｖｏｌ．６、Ｓｅｐｔ．２００２、ｐｐ．  ３７０−３７２
【非特許文献８】Ｔ．Ｏｈｇａｎｅ、“Ａ  Ｓｔｕｄｙ  ｏｎ  ａ  ｃｈａｎｎｅｌ  ａｌｌｏｃａｔｉｏｎ  ｓｃｈｅｍｅ  ｗｉｔｈ  ａｎ  ａｄａｐｔｉｖｅ  ａｒｒａｙ  ｉｎ  ＳＤＭＡ”ＩＥＥＥ  ４７ｔｈ  ＶＴＣ、Ｖｏｌ．２、１９９７、ｐ．７２５−７２９
【非特許文献９】Ａｎｄｒｅ  Ｂｏｕｒｄｏｕｘ、Ｎａｄｉａ  Ｋｈａｌｅｄ、“Ｊｏｉｎｔ  Ｔｘ−Ｒｘ  Ｏｐｔｉｍｉｓａｔｉｏｎ  ｆｏｒ  ＭＩＭＯ−ＳＤＭＡ  Ｂａｓｅｄ  ｏｎ  ａ  Ｎｕｌｌ−ｓｐａｃｅ  Ｃｏｎｓｔｒａｉｎｔ”、ＩＥＥＥ２００２．Ｐ．１７１−１７２
【発明の開示】
【発明が解決しようとする課題】
【０００７】
しかしながら、多重アクセスのＭＩＭＯシステムにおいてＳＤＭＡを効率的に支援することについては、未だに十分ではない点もあり、更なる開発が要求されていた。
本発明は、このような従来の事情に鑑み為されたもので、帯域保証の観点から好適な方式（ＳＤＭＡとＳＩＭＯ（Ｓｉｎｇｌｅ−Ｉｎｐｕｔ  Ｍｕｌｔｉｐｌｅ−Ｏｕｔｐｕｔ））の選択やユーザ端末の選択（スケジューラ）を実現することができる無線通信システムを提供することを目的とする。
【０００８】
ここで、課題の具体例を示す。
例えば、多重アクセスのＭＩＭＯシステムにおいて、アップリンクＳＤＭＡの同時送信のためのユーザ端末の適切な組の選択方法として、最大スループット或いは最大メトリックを得るユーザ端末の組を基本原理とすることが考えられる。特に、ユーザ端末の選択をメトリックで評価するＰＦ方式を採用するシステムモデルについて考えると、ユーザ端末の選択は組での選択が優先され、セルエッジに位置するユーザ端末は、個々のユーザ端末でのメトリックでは最優先となったとしても、組となるユーザ端末に恵まれない場合には他のユーザ端末の組が優先され、十分なスループット（最低レートを保証するもの＝帯域保証）を得られない可能性がある。また、状況によっては、受信品質が低下するＳＤＭＡを用いるより、多重化しないＳＩＭＯを用いてセルエッジに位置するユーザ端末にチャネルを占有させた場合の方が帯域保証には好適なときも考えられる。
【課題を解決するための手段】
【０００９】
上記目的を達成するため、本発明では、基地局装置と複数の端末装置とが無線により通信する無線通信システムにおいて、次のような構成とした。
すなわち、前記基地局装置と前記複数の端末装置との間の通信について、ＭＲＣ方式により通信を行う手段と、ＳＤＭＡ方式により通信を行う手段を備えた。
また、ＭＲＣ方式による通信において、各端末装置についてＭＲＣ方式に関する所定のメトリック値を検出して、最良のメトリック値を持つ端末装置を選択する手段と、ＳＤＭＡ方式による通信において、前記最良のメトリック値を持つ端末装置を含む２以上の端末装置の組み合わせの中で、ＳＤＭＡ方式に関する所定のメトリック値を検出して、最良のメトリック値を持つ端末装置の組み合わせを選択する手段と、前記したＭＲＣ方式による通信と前記したＳＤＭＡ方式による通信についてそれぞれ検出した最良のメトリック値のうち、値がより良い方の方式を選択し、当該選択した方式がＭＲＣ方式である場合には最良のメトリック値を持つ端末装置により送信を行い、当該選択した方式がＳＤＭＡ方式である場合には最良のメトリック値を持つ端末装置の組み合わせにより送信を行うように制御する手段と、を備えた。
従って、例えば、帯域保証の観点から好適な方式の選択やユーザ端末の選択（スケジューラ）を実現することができる。
【００１０】
ここで、ＭＲＣ方式に関する所定のメトリック値や、ＳＤＭＡ方式に関する所定のメトリック値としては、それぞれ、種々なものが用いられてもよく、例えば、スループットに基づくような値を用いることができる。
また、例えば、メトリック値が大きいほど通信の状況（例えば、スループット）が良好であるように定義される場合には、最良のメトリック値とは最大のメトリック値に相当し、逆に、メトリック値が小さいほど通信の状況（例えば、スループット）が良好であるように定義される場合には、最良のメトリック値とは最小のメトリック値に相当する。
また、「最良」（「最大」や「最小」）としては、必ずしも絶対的なものでなくともよく、実際の装置などでは、実用上で有効な程度で、多少の誤差などがあってもよい。
また、ＳＤＭＡ方式における２以上の端末装置の組み合わせとしては、例えば、２台の端末装置の組み合わせが用いられてもよく、或いは、３台以上の端末装置の組み合わせが用いられてもよい。
【発明の効果】
【００１１】
以上説明したように、本発明に係る無線通信システムによると、例えば、帯域保証の観点から好適な方式の選択やユーザ端末の選択（スケジューラ）を実現することができる。
【発明を実施するための最良の形態】
【００１２】
本発明に係る実施例を図面を参照して説明する。
図２には、本発明の一実施例に係る無線通信システムの構成例を示してある。
本例の無線通信システムは、基地局装置１と、複数（本例では、複数であるｚ台）のユーザの端末装置（ユーザ端末）２−１〜２−ｚを有している。各ユーザ端末２−１〜２−ｚは、それぞれ、複数本のアンテナ２１−１〜２１−ｚを備えている。
【００１３】
基地局装置１は、複数本のアンテナ１１と、アンテナ１１を用いてユーザ端末２−１〜２−ｚとの間で無線により通信（送信や受信）を行う通信部１２と、各種の情報を記憶するメモリ１３と、例えば基地局装置１からユーザ端末２−１〜２−ｚへの方向のダウンリンク（ＤＬ）の通信やユーザ端末２−１〜２−ｚから基地局装置１への方向のアップリンク（ＵＬ）の通信に関して通信相手（例えば、送信相手や受信相手）とするユーザ端末２−１〜２−ｚを決定するなどのスケジューリングの処理を行うスケジューラ１４と、各種の制御を行う制御部１５を備えている。
【００１４】
次に、本例の無線通信システムにおいて特徴的な構成について説明する。
図１には、本発明の一実施例に係るスケジューラにより行われる処理の手順（フローチャート）の一例を示してある。
まず、ステップＳ１〜ステップＳ４の処理では、単一のユーザ端末で送信した場合について、メトリック値が最大となるユーザ端末を選択する。この場合、セル内における他のユーザ端末からの干渉を受けないＭＲＣ受信特性となる。従って、ＭＣＳ（Ｍｏｄｕｌａｔｉｏｎ  ａｎｄ  Ｃｏｄｉｎｇ  Ｓｃｈｅｍｅ）レベルとして、ＳＤＭＡと同等以上に多値化したＭＣＳレベルを選択することができ、ユーザ端末単体でのスループットの向上を期待することができる。
【００１５】
具体的には、ＭＲＣでのユーザ端末の選択では、まず、パラメータｎを０（つまり、ｎ＝０）に設定する（ステップＳ１）。また、最大メトリック値が所定の値（例えば、０）に設定されているとする。また、全てのアップリンク（ＵＬ）のアクティブなユーザ端末のそれぞれについて、識別可能な番号（Ｎｏ．）が、例えば、１、２、３、・・・という番号を用いて、割り当てられているとする。
次に、パラメータｎに１を加えて、全てのアップリンクのアクティブなユーザ端末について評価したか否かを判定し（ステップＳ２）、全ての評価が完了した場合にはステップＳ５の処理へ移行する。
【００１６】
一方、全ての評価が完了していない場合には、ｎ番目のアクティブなユーザ端末のＭＲＣ時におけるメトリック値であるメトリック値（ｎ）を算出する（ステップＳ３）。次いで、算出したメトリック値（ｎ）と最大メトリック値とを比較して、メトリック値（ｎ）が最大となるアクティブなユーザ端末の番号（Ｎｏ．）を選択し、算出したメトリック値（ｎ）が最大メトリック値を超えている場合には最大メトリック値を算出したメトリック値（ｎ）へ更新する（ステップＳ４）。そして、ステップＳ２の処理へ戻る。
【００１７】
ステップＳ５〜ステップＳ９の処理では、ステップＳ１〜ステップＳ４の処理で選択したユーザ端末（ユーザ端末（Ａ）と言う）とＳＤＭＡで組になるユーザ端末を選択する。２端末送信であることから、相互干渉を完全に除去することができないため、選択されるＭＣＳレベルは、１端末送信時と比較して低下するが、２端末同時送信により、環境条件によってセル全体でのスループットが向上することを期待することができる。また、本例では、ＳＤＭＡを用いた場合においても、ＭＣＳレベルの低下はあっても確実にユーザ端末（Ａ）が選択されるため、帯域保証も考慮された選択が可能となる。
【００１８】
具体的には、ＭＲＣで選択したユーザ端末と組となるユーザ端末の選択（ＳＤＭＡでのユーザ端末の選択）では、まず、ステップＳ１〜ステップＳ４の処理において選択されたメトリック値（ｎ）が最大となるアクティブなユーザ端末（Ａ）をＳＤＭＡ端末の一台として選択し、（メトリック値（ＭＲＣ）＝最大メトリック値）と設定する（ステップＳ５）。次に、ユーザ端末（Ａ）とＳＤＭＡの組となるユーザ端末の番号（Ｎｏ．）を示すパラメータｍを０（つまり、ｍ＝０）に設定する（ステップＳ６）。また、最大メトリック値（ＳＤＭＡ）が所定の値（例えば、０）に設定されているとする。
【００１９】
次に、パラメータｍに１を加えて、全てのアップリンクのアクティブなユーザ端末について評価したか否かを判定し（ステップＳ７）、全ての評価が完了した場合にはステップＳ１０の処理へ移行する。
一方、全ての評価が完了していない場合には、ＳＤＭＡの組（Ａ、ｍ）すなわちユーザ端末（Ａ）とユーザ端末（ｍ）との組について、ＳＤＭＡ時におけるメトリック値をメトリック値（Ａ、ｍ）として算出する（ステップＳ８）。次いで、算出したメトリック値（Ａ、ｍ）と最大メトリック値（ＳＤＭＡ）とを比較して、例えばメトリック値（Ａ、ｍ）が最大となるアクティブなユーザ端末の番号（ｍ）を選択し、算出したメトリック値（Ａ、ｍ）が最大メトリック値（ＳＤＭＡ）を超えている場合には最大メトリック値（ＳＤＭＡ）を算出したメトリック値（Ａ、ｍ）へ更新する（ステップＳ９）。そして、ステップＳ７の処理へ戻る。
【００２０】
ステップＳ１０の処理では、単一ユーザ端末送信時におけるメトリック値と、ＳＤＭＡ送信時におけるメトリック値とを比較して、ステップＳ５〜ステップＳ９の処理で帯域保証が不十分である場合における補填効果を持つ。ここで、（メトリック値（ＳＤＭＡ）＝最大メトリック値（ＳＤＭＡ））とする。
具体的には、ＭＲＣとＳＤＭＡの比較による最適方式の選択では、メトリック値（ＭＲＣ）とメトリック値（ＳＤＭＡ）とを比較して、大きい方に対応した方式を選択して使用する（ステップＳ１０）。
【００２１】
メトリック値の演算式の一例を示す。
ＭＲＣにおける単一のユーザ端末である場合には、メトリック値の演算式は例えば（式１）により表される。
ＳＤＭＡにおける２台のユーザ端末の組である場合には、メトリック値の演算式は例えば（式２）により表される。なお、ＳＤＭＡにおいて３台以上のユーザ端末の組が用いられる場合についても、メトリック値の演算式として例えば（式２）を拡張した式を用いることができる。
【００２２】
【数１】
2010114475.tif 000003
【００２３】
【数２】
2010114475.tif 000004
【００２４】
ここで、ＭＲＣ送信可能データ量（Ａ）は、ユーザ端末Ａを単一送信で使用した場合にそのバーストで送信可能なデータ量であり、ユーザ端末Ａからの受信ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）から所望のＰＥＲ（Ｐａｃｋｅｔ  Ｅｒｒｏｒ  Ｒａｔｅ）以下を達成することが可能であり且つ最大のデータ送信が可能であるＭＣＳレベルを選択した場合における送信データ量である。また、平均送信データ量（Ａ）は、ユーザ端末Ａが過去に送信したデータ量の平均値である。
【００２５】
ＳＤＭＡ送信可能データ量（Ａ、Ｂ）は、ＳＤＭＡ送信でユーザ端末Ａとユーザ端末Ｂの組を選択した場合にそのバーストでユーザ端末Ａが送信可能なデータ量であり、ユーザ端末Ａとユーザ端末Ｂの組から求められた受信ＳＩＮＲから所望ＰＥＲ（Ｐａｃｋｅｔ  Ｅｒｒｏｒ  Ｒａｔｅ）以下を達成することが可能であり且つ最大のデータ送信が可能であるＭＣＳレベルを選択した場合における送信データ量である。
【００２６】
帯域保証の観点に基づいて、優先順位が最も高い最優先ユーザ端末Ａのスループット量から、単一送信（ユーザ端末Ａのスループットが最大となる）、或いは、ＳＤＭＡでの２ユーザ送信（最優先ユーザ端末Ａのスループットは単一送信よりは少なくなることが想定されるが、セクタスループットを優先する）を選択することにより、帯域保証維持を効果的に実現することができる。
【００２７】
以上のように、本例の無線通信システムでは、無線の基地局装置とユーザ端末との送受信方法として、ＭＲＣ方式とＳＤＭＡ方式を併用する。
ＭＲＣ方式については、各ユーザ端末に対するメトリック値をそれぞれ評価して、最大メトリック値を持つユーザ端末を選択する。ＳＤＭＡ方式については、送信端末として選択される複数のユーザ端末の組において、前記した最大メトリック値を持つユーザ端末を一組のユーザ端末のうちの１台のユーザ端末として選択し、このように選択したユーザ端末の組のうちからＳＤＭＡ方式における最大メトリック値を持つユーザ端末の組を選択する。そして、前記したＭＲＣ方式とＳＤＭＡ方式のそれぞれで評価した最大メトリック値のうち、より大きなメトリック値となる方式を選択し、選択した方式を用いてそれぞれ最大メトリック値を持つユーザ端末又はユーザ端末の組が送信を行う。
【００２８】
具体例としては、多数入力多数出力（ＭＩＭＯ）の通信システムにおいて、次のような構成により、データを送受信する。
すなわち、各送信端末に対して１本のデータシンボルストリームを、受信基地局装置における複数の受信アンテナから得るＭＲＣ方式の機能と、各送信端末に対して１本のデータシンボルストリームずつ、複数の送信端末より送られた複数のデータシンボルストリームに対する複数の受信シンボルストリームを、受信基地局装置における複数の受信アンテナから得るＳＤＭＡ方式の機能と、前記したＭＲＣ方式による送信をメトリックに基づいて評価して最高のメトリック値を持つ送信端末をＭＲＣ選択端末として選択する機能と、前記したＳＤＭＡ方式による送信で可能な送信のための送信端末の複数の組の一方としてＭＲＣ選択端末を選択して他の一方を組としてのメトリックに基づいて評価して最高のメトリック値を持つ送信端末の組をＳＤＭＡでの選択組として選択する機能と、前記したＭＲＣ送信と前記したＳＤＭＡ送信についてメトリックに基づいて最大となる送信方法を最終的に選択する機能を備えた。
【００２９】
従って、本例の無線通信システムでは、ＳＤＭＡ用のユーザ端末選択方法において、単一のユーザ端末送信時とＳＤＭＡ送信時に想定されるスループットを元にメトリックを計算し、帯域保証とセクタスループットの２つの観点から好適なスケジューラを実現することができる。
具体的には、例えば、ＭＲＣ方式において最優先されるべきユーザ端末がＳＤＭＡ方式を用いる場合においても必ず選択される（帯域保証の観点）とともに、ＭＲＣ方式とＳＤＭＡ方式のうちでセクタスループットがより良好な方式が選択される（セクタスループットの観点）という効果を得ることができる。
【００３０】
なお、図２において、本例の無線通信システムの基地局装置１では、アンテナ１１や通信部１２が、例えばスケジューラ１４や制御部１５により制御されて、複数の端末装置２−１〜２−ｚとの間の通信について、ＭＲＣ方式により通信を行う機能や、ＳＤＭＡ方式により通信を行う機能を有している。また、スケジューラ１４が、例えば制御部１５により制御されて、ＭＲＣ方式による通信において、各端末装置２−１〜２−ｚ（本例では、送信アクティブな端末装置）についてＭＲＣ方式に関する所定のメトリック値（本例では、（式１）の値）を検出して、最良のメトリック値を持つ端末装置を選択する機能や、ＳＤＭＡ方式による通信において、前記最良のメトリック値を持つ端末装置を含む２以上の端末装置（本例では、送信アクティブな端末装置）の組み合わせの中で、ＳＤＭＡ方式に関する所定のメトリック値（本例では、（式２）の値）を検出して、最良のメトリック値を持つ端末装置の組み合わせを選択する機能や、前記したＭＲＣ方式による通信と前記したＳＤＭＡ方式による通信についてそれぞれ検出した最良のメトリック値のうち、値がより良い方の方式を選択し、当該選択した方式がＭＲＣ方式である場合には最良のメトリック値を持つ端末装置（１台の端末装置）により送信を行い、当該選択した方式がＳＤＭＡ方式である場合には最良のメトリック値を持つ端末装置の組み合わせ（当該組み合わせに係る２台以上の端末装置）により送信を行うように制御する機能を有している。
【００３１】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３２】
【図１】本発明の一実施例に係るスケジューラにより行われる処理の手順の一例を示す図である。
【図２】本発明の一実施例に係る無線通信システムの構成例を示す図である。
【符号の説明】
【００３３】
１・・基地局装置、  ２−１〜２−ｚ・・端末装置（ユーザ端末）、  １１・・アンテナ、  １２・・通信部、  １３・・メモリ、  １４・・スケジューラ、  １５・・制御部、
【図１】
2010114475.tif 000005
【図２】
2010114475.tif 000006